(57)【要約】【課題】  ゴム部材の収縮を速やかに生じさせることにより、ゴム部材の工程処理でゴム部材の長さがばらつくことを回避したゴム部材搬送装置及びそれを有するゴム部材供給システムを提供することを課題とする。【解決手段】  ゴム部材供給システム１０は、内部ひずみを有する被裁断材１２を送り出すベルトコンベア１４と、ベルトコンベア１４から供給された被裁断材１２を裁断してゴム部材２０とするカッタ１６と、ゴム部材２０を搬送するゴム部材搬送部２４と、を備えている。ゴム部材搬送部２４は、無端ベルト２６と、無端ベルト２６の支え部３０に保持されたローラ２８と、を有する。搬送中のゴム部材２０は、ローラ２８上を搬送される際に振動を受けつつ搬送される。従って、この振動によって、内部ひずみによるゴム部材２０の収縮を搬送中にほとんど終了させることができる。【選択図】        図１
2005194030.tif 000002
【特許請求の範囲】
【請求項１】
内部ひずみを有するゴム部材に振動を与える振動付与手段と、
前記ゴム部材を搬送する搬送手段と、
が設けられ、
前記振動付与手段で前記ゴム部材に振動を与えつつ前記搬送手段で前記ゴム部材を搬送することを特徴とするゴム部材搬送装置。
【請求項２】
前記振動付与手段が前記ゴム部材に与える振動は、周波数が５〜１００Ｈｚ、振幅が０．５〜１０ｍｍ、振動時間が１秒以上であることを特徴とする請求項１に記載のゴム部材搬送装置。
【請求項３】
前記周波数、前記振幅、及び前記振動時間が、前記ゴム部材の厚み、硬さ及び内部ひずみ量に応じて設定されていることを特徴とする請求項２に記載のゴム部材搬送装置。
【請求項４】
前記搬送手段に、前記ゴム部材を載せて回転する無端ベルトを設け、
前記振動付与手段として、前記無端ベルトのゴム部材載置面側に突部を設け、
前記無端ベルトが回転することによって、前記ゴム部材が前記突部に対して相対移動することを特徴とする請求項１〜３のうち何れか１項に記載のゴム部材搬送装置。
【請求項５】
前記突部として回転自在に保持されている複数の回転体を配設し、
前記無端ベルトが回転すると、前記ゴム部材と当接している前記回転体が、前記無端ベルトの移動力と前記ゴム部材から受ける摩擦力とによって回転することを特徴とする請求項４に記載のゴム部材搬送装置。
【請求項６】
前記回転体として、搬送方向と直交する方向に回転軸を有するようにローラを設けたことを特徴とする請求項５に記載のゴム部材搬送装置。
【請求項７】
前記回転体としてボールベアリングを設けたことを特徴とする請求項５に記載のゴム部材搬送装置。
【請求項８】
内部ひずみを有するゴム製の被裁断材を送り出す送出部と、
前記送出部から供給された前記被裁断材を裁断する裁断部と、
前記裁断部で裁断されてなるゴム部材を搬送する請求項１〜７のうち何れか１項に記載の搬送装置と、
を備えたことを特徴とするゴム部材供給システム。
【請求項９】
前記送出部が断続運転可能であり、前記裁断部が前記被裁断材を裁断する際に前記送出部が前記被裁断材の送り出しを停止することを特徴とする請求項８に記載のゴム部材供給システム。
【請求項１０】
前記被裁断材が、押出工程で成形された長尺状材であることを特徴とする請求項８又は９に記載のゴム部材供給システム。
【発明の詳細な説明】
【技術分野】
【０００１】
本発明は、ゴム部材を搬送するゴム部材搬送装置及びそれを有するゴム部材供給システムに関し、更に詳細には、特に未加硫のゴム部材を搬送するのに最適なゴム部材搬送装置及びそれを有するゴム部材供給システムに関する。
【背景技術】
【０００２】
空気入りタイヤには、トレッドを構成するトレッドゴム等のゴム部材が多く用いられている（例えば特許文献１参照）。これらのゴム部材は、ベルトコンベア等で運搬されてくる長尺状の被裁断材を一定の長さで裁断することにより形成し、ゴム部材の使用位置にまで更にベルトコンベア等で運搬している。
【０００３】
しかし、裁断後のゴム部材には内部ひずみが残留しているため、裁断後のゴム部材に収縮が生じて長さがばらつき、このことは、その後の処理工程を迅速に行うことの妨げになっているという問題があった。
【特許文献１】特開平５−１３９１２７号公報
【発明の開示】
【発明が解決しようとする課題】
【０００４】
本発明は、上記事実を考慮して、ゴム部材の収縮を速やかに生じさせることにより、ゴム部材の処理工程でゴム部材の長さがばらつくことを回避したゴム部材搬送装置及びそれを有するゴム部材供給システムを提供することを課題とする。
【課題を解決するための手段】
【０００５】
請求項１に記載の発明は、内部ひずみを有するゴム部材に振動を与える振動付与手段と、前記ゴム部材を搬送する搬送手段と、が設けられ、前記振動付与手段で前記ゴム部材に振動を与えつつ前記搬送手段で前記ゴム部材を搬送することを特徴とする。
【０００６】
このように請求項１に記載の発明では、内部ひずみを有するゴム部材は、振動付与手段により振動が与えられつつ搬送手段で搬送されるので、搬送中にこの振動によって内部ひずみによるゴム部材の収縮が速やかに生じてほとんど終了する。従って、ゴム部材のその後の処理工程でゴム部材の長さがばらつくことを回避することができ、工程処理能力を大幅に向上させることが可能になる。また、ゴム部材に振動を与えつつ搬送するので、振動を与えるための処理時間を新たにかける必要がない。
【０００７】
請求項２に記載の発明は、前記振動付与手段が前記ゴム部材に与える振動は、周波数が５〜１００Ｈｚ、振幅が０．５〜１０ｍｍ、振動時間が１秒以上であることを特徴とする。
【０００８】
これにより、ゴム部材の内部ひずみを充分に除去することができる。
【０００９】
請求項３に記載の発明は、前記周波数、前記振幅、及び前記振動時間が、前記ゴム部材の厚み、硬さ及び内部ひずみ量に応じて設定されていることを特徴とする。
【００１０】
これにより、ゴム部材の内部ひずみを除去する上で、ゴム部材に与える振動の周波数や振幅が無駄に大きいことや、振動時間が無駄に長いことを防止できる。
【００１１】
請求項４に記載の発明は、前記搬送手段に、前記ゴム部材を載せて回転する無端ベルトを設け、前記振動付与手段として、前記無端ベルトのゴム部材載置面側に突部を設け、前記無端ベルトが回転することによって、前記ゴム部材が前記突部に対して相対移動することを特徴とする。
【００１２】
これにより、振動付与手段の構成を著しく簡素にすることができる。また、無端ベルトを回転させて搬送しているときにゴム部材に振動を与え、無端ベルトの回転が停止しているときには振動を発生させていないので、効率良く振動を発生させることができる。
【００１３】
請求項５に記載の発明は、前記突部として回転自在に保持されている複数の回転体を配設し、前記無端ベルトが回転すると、前記ゴム部材と当接している前記回転体が、前記無端ベルトの移動力と前記ゴム部材から受ける摩擦力とによって回転することを特徴とする。
【００１４】
このように、回転体が回転することにより、ゴム部材が回転体に対して相対移動して徐々に搬送されるので、搬送距離が短くてもゴム部材の振動時間を充分に大きくすることができ、装置の大幅な小型化を図ることができる。また、配設された複数の回転体により、ゴム部材がうねりながら搬送され、ゴム部材が細部にわたり振動を受けるので、ゴム部材の細部にわたって内部ひずみを除去することができる。
【００１５】
請求項６に記載の発明は、前記回転体として、搬送方向と直交する方向に回転軸を有するようにローラを設けたことを特徴とする。
【００１６】
これにより、振動発生手段の構成を更に小型で簡素にすることができると共に、振動を受けないゴム部材部分を完全になくし易い。
【００１７】
請求項７に記載の発明は、前記回転体としてボールベアリングを設けたことを特徴とする。
【００１８】
これにより、請求項６に記載の発明に比べ、振動発生手段の構成を更に小型で簡素にすることができる。
【００１９】
請求項８に記載の発明は、内部ひずみを有するゴム製の被裁断材を送り出す送出部と、前記送出部から供給された前記被裁断材を裁断する裁断部と、前記裁断部で裁断されてなるゴム部材を搬送する請求項１〜７のうち何れか１項に記載の搬送装置と、を備えたことを特徴とする。
【００２０】
送出部で送り出された被裁断材に内部ひずみが生じていて、裁断部でこれを裁断してなるゴム部材にも内部ひずみが生じていても、ゴム部材搬送装置がゴム部材に振動を与えつつ搬送するので、内部ひずみによるゴム部材の収縮を搬送中にほとんど終了させることができる。
【００２１】
従って、請求項８に記載のゴム部材供給システムを用いることにより、裁断後のゴム部材の処理工程でゴム部材の長さがばらつくことを回避することができ、工程処理能力を大幅に向上させることが可能になる。また、ゴム部材に振動を与えつつ搬送するので、振動を与えるための処理時間を新たにかける必要がない。
【００２２】
請求項９に記載の発明は、前記送出部が断続運転可能であり、前記裁断部が前記被裁断材を裁断する際に前記送出部が前記被裁断材の送り出しを停止することを特徴とする。
【００２３】
これにより、裁断を良好に行うことができる。
【００２４】
請求項１０に記載の発明は、前記被裁断材が、押出工程で成形された長尺状材であることを特徴とする。
【００２５】
長尺状のゴム製の中間製品は押出工程で容易に形成することができるが、押出工程で成形した場合、内部ひずみが生じ易い。従って、請求項１０に記載の発明により、容易に形成した被裁断材を裁断してゴム部材搬送装置に順次供給し、効率良く搬送することができる。
【発明の効果】
【００２６】
本発明は上記構成としたので、ゴム部材の収縮を速やかに生じさせることにより、ゴム部材の処理工程でゴム部材の長さがばらつくことを回避したゴム部材搬送装置及びそれを有するゴム部材供給システムを実現させることができる。
【発明を実施するための最良の形態】
【００２７】
以下、実施形態を挙げ、本発明の実施の形態について説明する。
【００２８】
［第１実施形態］
まず、第１実施形態について説明する。図１、図２に示すように、本実施形態に係るゴム部材供給システム１０は、長尺状のゴム製の被裁断材１２を供給するベルトコンベア１４と、ベルトコンベア１４で供給されてきたこの被裁断材１２を裁断するカッタ（スカイバー）１６と、カッタ１６で裁断されてなるゴム部材２０を搬送するゴム部材搬送部２４と、を備えている。
【００２９】
ベルトコンベア１４は断続運転が可能になっており、カッタ１６による被裁断材１２の切断中では搬送が停止されるようになっている。また、カッタ１６は、例えば回転によって切断する刃１８を有しており、被裁断材１２を一定長さで裁断するようにコントロールされている。
【００３０】
ゴム部材搬送部２４は、搬送方向後端側でプーリ２５により、また、搬送方向前端側で駆動ローラ（図示せず）により、回転可能に保持された無端ベルト２６を備えている。無端ベルト２６の搬送面側（外面側）には、無端ベルト２６の幅方向（すなわち搬送方向と直交する方向）に回転軸を有するように向けられて無端ベルト２６の搬送方向に順次配置されたローラ（フリーローラ）２８と、ローラ２８の両端側に位置し、ローラ２８を回転可能に支えるように無端ベルト２６の両側縁部から突出した支え部３０と、が多数配設されている。
【００３１】
以下、ゴム部材供給システム１０の作用について説明する。
【００３２】
カッタ１６によって被裁断材１２がカットされた後、ベルトコンベア１４は被裁断材１２の搬送を再開し、一定距離だけ搬送した段階で搬送を停止する。そして、カッタ１６が移動して被裁断材１２を切断する。このようにして、定長長さにカットされたゴム部材２０が順次形成されていく。
【００３３】
切断終了後、カッタ１６が元の位置へ移動すると共に、ベルトコンベア１４は搬送を再開する。この結果、ベルトコンベア１４からゴム部材搬送部２４のローラ２８上へゴム部材２０が完全に移載される。
【００３４】
ここで、ゴム部材２０と当接しているローラ２８は、無端ベルト２６の移動力とゴム部材２０から受ける摩擦力とによって回転する。従って、ゴム部材２０は、無端ベルト２６の移動速度よりも遥かに遅い速度で徐々に搬送されていき、ゴム部材２０の振動時間が充分に長い。また、多数配設されたローラ２８により、ゴム部材２０がうねりながら、すなわち微小な上下動を繰り返しながら搬送される。従って、ゴム部材２０が細部にわたり振動を受ける。
【００３５】
これにより、ゴム部材２０の細部にわたって内部ひずみを除去することができ、ゴム部材搬送部２４の搬送終端に到達するまでには、ゴム部材２０の収縮が完全に終了している。従って、その後のゴム部材２０の処理工程でゴム部材２０の長さがばらつくことが防止されるので、ゴム部材２０の工程処理能力を格段に向上させることができる。なお、ゴム部材搬送部２４は連続運転していてもよい。
【００３６】
また、上述したように、ゴム部材２０の搬送速度が充分に遅いので、無端ベルト２６の搬送距離が短くて済み、ゴム部材搬送部２４及びゴム部材供給システム１０を著しく小型化できる。
【００３７】
＜第１実施形態の実施例＞
本実施例では、ローラ２８の径が２０ｍｍφ、隣り合うローラ２８の間隔が３０ｍｍ、無端ベルト２６の搬送方向長さが２ｍ、無端ベルト２６の移動速度が４０ｍ／ｍｉｎとされている。
【００３８】
この結果、ゴム部材２０に生じる振動の周波数が２０Ｈｚ、振幅が０．５〜１．０ｍｍ（図１のＷに相当）になっている。
【００３９】
被裁断材１２は、押出工程で形成された長尺状材で、ゴム部材２０はトレッドゴムである。被裁断材１２の内部ひずみはゴム物性によってほぼ決まる。
【００４０】
本実施例により、例えば、トップトレッド長さが２０００ｍｍである場合、従来ではＣＰＫがＢ〜Ｃランクであったものが、本実施形態ではＣＰＫをＳランクにまで向上させることができる。
【００４１】
［第２実施形態］
次に、第２実施形態について説明する。図３、図４に示すように、第２実施形態に係るゴム部材供給システムのゴム部材搬送部３４は、第１実施形態で説明した無端ベルト２６（図１、２参照）に代えて樹脂性の無端ベルト３６を備えている。この無端ベルト３６は、幅方向両端部にローラ保持部３６Ｓが設けられており、ローラ保持部３６Ｓによって多数のローラ３８が保持されている。このローラ３８は、無端ベルト３６の幅方向（すなわち搬送方向と直交する方向）に回転軸を有して、無端ベルト３６の搬送面側にローラ面が出るように保持されている。
【００４２】
本実施形態では、第１実施形態と同様、定長長さにカットされたゴム部材は、ゴム部材搬送部３４で搬送される際、ローラ３８でゴム部材がうねりながら徐々に搬送される。従って、本実施形態により、第１実施形態と同様の効果を奏することができる。また、無端ベルト３６が樹脂性なので軽量化を図ることができる。更に、第１実施形態に比べ、無端ベルト３６から突出する支え部３０（図１、２参照）を設ける必要がないので、第１実施形態よりも構成が簡素なゴム部材供給システムが実現される。
【００４３】
［第３実施形態］
次に、第３実施形態について説明する。図５に示すように、第３実施形態に係るゴム部材供給システムのゴム部材搬送部４４は樹脂性の無端ベルト４６を備えている。この無端ベルト４６はキャタピラ状のベルトであり、細長状のキャタピラ構成部材５０を搬送方向に連ねたものである。この無端ベルト４６としては市販品を用いても良い。
【００４４】
各キャタピラ構成部材５０には、無端ベルト４６の幅方向に沿って複数の短円柱状のローラ４８が回転可能に保持されている。ローラ４８の回転軸は、搬送方向と直交する方向に向けられている。
【００４５】
これにより、第２実施形態と同様の効果を奏することができる。また、ローラ４８に不具合が生じた場合、そのローラ４８を保持しているキャタピラ構成部材５０のみを交換すればよいので、メンテナンスにかかるコストを大幅に低減させることができる。
【００４６】
［第４実施形態］
次に、第４実施形態について説明する。図６に示すように、第４実施形態に係るゴム部材供給システムのゴム部材搬送部５４は、無端ベルト５６の搬送面側にボールベアリング５８が多数配設されている。
【００４７】
定長カットされたゴム部材がゴム部材搬送部５４に移載されると、第１実施形態と同様、ゴム部材と当接しているボールベアリング５８が、無端ベルト５６の移動力とゴム部材から受ける摩擦力とによって回転する。従って、ゴム部材は、無端ベルト５６の移動速度よりも遥かに遅い速度で徐々に搬送されていき、ゴム部材の振動時間が充分に長い。また、多数配設されたボールベアリング５８により、ゴム部材がうねりながら搬送されるので、ゴム部材が細部にわたり振動を受ける。
【００４８】
これにより、第１実施形態と同様、ゴム部材の細部にわたって内部ひずみを除去することができる。また、ローラでなくボールベアリング５８を無端ベルト５６に配設しているので、第３実施形態と同様、無端ベルト５６の軽量化を図ることができ、簡素な構成のゴム部材供給システムを実現させることができる。
【００４９】
以上、実施形態を挙げて本発明の実施の形態を説明したが、これらの実施形態は一例であり、要旨を逸脱しない範囲内で種々変更して実施できる。また、本発明の権利範囲が上記実施形態に限定されないことは言うまでもない。
【図面の簡単な説明】
【００５０】
【図１】第１実施形態に係るゴム部材供給システムを示す側面図である。
【図２】第１実施形態に係るゴム部材供給システムのゴム部材搬送部を示す部分斜視図である。
【図３】第２実施形態に係るゴム部材供給システムのゴム部材搬送部を示す部分側面図である。
【図４】第２実施形態に係るゴム部材供給システムのゴム部材搬送部を示す部分斜視図である。
【図５】第３実施形態に係るゴム部材供給システムのゴム部材搬送部を示す部分斜視図である。
【図６】第４実施形態に係るゴム部材供給システムのゴム部材搬送部を示す部分斜視図である。
【符号の説明】
【００５１】
１０    ゴム部材供給システム
１２    被裁断材
１４    ベルトコンベア（送出部）
１６    カッタ（裁断部）
２０    ゴム部材
２４    ゴム部材搬送部（ゴム部材搬送装置）
２５    プーリ（搬送手段）
２６    無端ベルト（搬送手段、無端ベルト）
２８    ローラ（振動付与手段）
３０    支え部（振動付与手段）
３４    ゴム部材搬送部（ゴム部材搬送装置）
３６    無端ベルト（搬送手段、無端ベルト）
３８    ローラ（振動付与手段）
４４    ゴム部材搬送部（ゴム部材搬送装置）
４６    無端ベルト（搬送手段、無端ベルト）
４８    ローラ（振動付与手段）
５４    ゴム部材搬送部（ゴム部材搬送装置）
５６    無端ベルト（搬送手段、無端ベルト）
５８    ボールベアリング（振動付与手段）
【図１】
2005194030.tif 000003
【図２】
2005194030.tif 000004
【図３】
2005194030.tif 000005
【図４】
2005194030.tif 000006
【図５】
2005194030.tif 000007
【図６】
2005194030.tif 000008